(57)【要約】【課題】通信ネットワークにおける通信データ量を削減することが可能なデジタル放送通信システムを得る。【解決手段】デジタル放送通信システムは、デジタル放送のストリームＳ１をＩＰネットワーク２に向けて送信する送信装置１と、ＩＰネットワーク２からデジタル放送のストリームを受信する複数の受信装置３とを備え、送信装置１は、デジタル放送のストリームＳ１を、映像及び音声を含む通常放送に関するストリームＳ２と、データ放送に関するストリームＳ３とに分離し、複数の受信装置３のいずれかから通常放送の受信要求を受けることにより、ストリームＳ２をＩＰネットワーク２に向けて送信し、複数の受信装置３のいずれかからデータ放送の受信要求を受けることにより、ストリームＳ３をＩＰネットワーク２に向けて送信する。【選択図】図４
2010206728.tif 000002
【特許請求の範囲】
【請求項１】
デジタル放送のストリームを通信ネットワークに向けて送信する送信装置と、
前記通信ネットワークから前記デジタル放送のストリームを受信する複数の受信装置とを備え、
前記送信装置は、
前記デジタル放送のストリームを、映像及び音声を含む通常放送に関する第１のストリームと、データ放送に関する第２のストリームとに分離し、
前記複数の受信装置のいずれかから通常放送の受信要求を受けることにより、前記第１のストリームを前記通信ネットワークに向けて送信し、
前記複数の受信装置のいずれかからデータ放送の受信要求を受けることにより、前記第２のストリームを前記通信ネットワークに向けて送信する、デジタル放送通信システム。
【請求項２】
前記送信装置は調整手段を有し、
前記送信装置が前記通信ネットワークに向けて前記第１及び第２のストリームを送信する場合、前記調整手段は、前記デジタル放送のストリームの各パケットに付加されている時刻情報に基づいて、前記第１及び第２のストリームの各パケットの送信順序が、前記デジタル放送のストリームにおける各パケットの配列順序と一致するように、前記第１及び第２のストリームの各パケットを前記通信ネットワークに向けて送信するタイミングを調整する、請求項１に記載のデジタル放送通信システム。
【請求項３】
前記受信装置は復元手段を有し、
前記受信装置が前記通信ネットワークから前記第１及び第２のストリームを受信した場合、前記復元手段は、受信した前記第１及び第２のストリームの各パケットに付加されている時刻情報に基づいて、前記第１及び第２のストリームの各パケットの配列順序が、前記デジタル放送のストリームにおける各パケットの配列順序と一致するように、前記第１及び第２のストリームの各パケットを並び替えることにより、前記デジタル放送のストリームを復元する、請求項２に記載のデジタル放送通信システム。
【請求項４】
前記通信ネットワークはＩＰネットワークであり、
前記第１のストリームと前記第２のストリームとで互いに異なるマルチキャストＩＰアドレス及びポート番号が付与され、
前記受信装置は、複数の番組と、各番組に関する前記第１のストリームのマルチキャストＩＰアドレス及びポート番号と、各番組に関する前記第２のストリームのマルチキャストＩＰアドレス及びポート番号との対応関係が記述されたデータテーブルを保持している、請求項１〜３のいずれか一つに記載のデジタル放送通信システム。
【発明の詳細な説明】
【技術分野】
【０００１】
本発明は、デジタル放送通信システムに関し、特に、地上デジタル放送のＩＰ再送信システムに関する。
【背景技術】
【０００２】
地上デジタル放送のＩＰ再送信に関する運用規定がＩＰＴＶフォーラムよりリリースされ（下記非特許文献１参照）、そのＩＰ再送信サービスの運用も実際に開始されている。地上デジタル放送のＩＰ再送信システムにおいては、送信装置は、地上デジタル放送の放送波を放送局から受信し、その放送波に含まれるデジタル放送信号をＩＰマルチキャストによってＩＰネットワークに向けて送信する。そして、受信装置がＩＰネットワークからデジタル放送信号を受信することにより、受信装置に接続されたテレビによって地上デジタル放送を視聴することが可能となる。また、受信装置は、映像及び音声を含む通常の番組放送（以下、データ放送と区別するために本明細書において「通常放送」と称す）のほかに、データ放送を受信することも可能である。データ放送を受信することにより、ニュース、天気予報、又は番組に連動したイベント等を、テレビ画面上に表示することができる。
【０００３】
なお、下記特許文献１には、デジタル放送信号に含まれているデータ放送のＥＳを抽出し、そのＥＳをそれよりも情報量の少ないＥＳ（後述の情報配信サーバのアドレスを示すＥＳ）に差し替えて送信する、デジタル放送の再送信装置が開示されている。デジタル放送信号から抽出されたデータ放送のＥＳは、再送信装置に接続された情報配信サーバ（Ｗｅｂサーバ）に蓄積される。受信装置は、差し替え後のＥＳに含まれているアドレスに基づいて情報配信サーバ（Ｗｅｂサーバ）にアクセスし、その情報配信サーバからデータ放送のＥＳを自動的に取得する。
【先行技術文献】
【特許文献】
【０００４】
【特許文献１】特開２００７−１６６４１０号公報
【非特許文献】
【０００５】
【非特許文献１】“ＩＰＴＶ規定  地上デジタルテレビジョン放送  ＩＰ再送信運用規定  ＩＰＴＶＦＪ  ＳＴＤ−０００５  １．０版”、有限責任中間法人ＩＰＴＶフォーラム、２００８年９月１１日
【発明の概要】
【発明が解決しようとする課題】
【０００６】
現状のデジタル放送のＩＰ再送信においては、放送番組のストリームが、通常放送及びデータ放送を含む一つのストリームとして構成されている。従って、データ放送を利用しないユーザに対しても、通常放送のパケットとともにデータ放送のパケットが送信される。そのため、利用されないデータ放送のパケットがＩＰネットワーク上を流れることによって、ＩＰネットワーク全体の通信データ量が増大する。
【０００７】
本発明はかかる事情に鑑みて成されたものであり、通信ネットワークにおける通信データ量を削減することが可能なデジタル放送通信システムを得ることを目的とするものである。
【課題を解決するための手段】
【０００８】
本発明の第１の態様に係るデジタル放送通信システムは、デジタル放送のストリームを通信ネットワークに向けて送信する送信装置と、前記通信ネットワークから前記デジタル放送のストリームを受信する複数の受信装置とを備え、前記送信装置は、前記デジタル放送のストリームを、映像及び音声を含む通常放送に関する第１のストリームと、データ放送に関する第２のストリームとに分離し、前記複数の受信装置のいずれかから通常放送の受信要求を受けることにより、前記第１のストリームを前記通信ネットワークに向けて送信し、前記複数の受信装置のいずれかからデータ放送の受信要求を受けることにより、前記第２のストリームを前記通信ネットワークに向けて送信することを特徴とするものである。
【０００９】
第１の態様に係るデジタル放送通信システムによれば、送信装置は、デジタル放送のストリームを、映像及び音声を含む通常放送に関する第１のストリームと、データ放送に関する第２のストリームとに分離する。そして、複数の受信装置のいずれかから通常放送の受信要求を受けることにより、第１のストリームを通信ネットワークに向けて送信し、複数の受信装置のいずれかからデータ放送の受信要求を受けることにより、第２のストリームを通信ネットワークに向けて送信する。従って、送信装置は、受信装置から通常放送の受信要求のみを受けた場合には、第１及び第２のストリームのうちの第１のストリームのみを、通信ネットワークに向けて送信する。つまり、ユーザがデータ放送の受信を要求していない場合には、データ放送に関する第２のストリームは通信ネットワークに向けて送信されない。その結果、利用されないデータ放送のパケットが通信ネットワーク上を流れることを回避できるため、通信ネットワークにおける通信データ量を削減することが可能となる。
【００１０】
本発明の第２の態様に係るデジタル放送通信システムは、第１の態様に係るデジタル放送通信システムにおいて特に、前記送信装置は調整手段を有し、前記送信装置が前記通信ネットワークに向けて前記第１及び第２のストリームを送信する場合、前記調整手段は、前記デジタル放送のストリームの各パケットに付加されている時刻情報に基づいて、前記第１及び第２のストリームの各パケットの送信順序が、前記デジタル放送のストリームにおける各パケットの配列順序と一致するように、前記第１及び第２のストリームの各パケットを前記通信ネットワークに向けて送信するタイミングを調整することを特徴とするものである。
【００１１】
第２の態様に係るデジタル放送通信システムによれば、送信装置が有する調整手段は、デジタル放送のストリームの各パケットに付加されている時刻情報に基づいて、第１及び第２のストリームの各パケットの送信順序が、デジタル放送のストリームにおける各パケットの配列順序と一致するように、第１及び第２のストリームの各パケットを通信ネットワークに向けて送信するタイミングを調整する。このように、第１及び第２のストリームの各パケットを無作為に送信するのではなく、第１及び第２のストリーム間で同期をとって各パケットを送信することにより、受信装置においては、分離前のデジタル放送のストリームにおけるパケットの配列順序が維持された状態で、通常放送及びデータ放送の各パケットを受信できる可能性が高まる。その結果、受信装置が有するバッファ（パケットの並び替えのために第１及び第２のストリームの各パケットを一時的に格納しておくためのバッファ）の容量を削減することが可能となる。
【００１２】
本発明の第３の態様に係るデジタル放送通信システムは、第２の態様に係るデジタル放送通信システムにおいて特に、前記受信装置は復元手段を有し、前記受信装置が前記通信ネットワークから前記第１及び第２のストリームを受信した場合、前記復元手段は、受信した前記第１及び第２のストリームの各パケットに付加されている時刻情報に基づいて、前記第１及び第２のストリームの各パケットの配列順序が、前記デジタル放送のストリームにおける各パケットの配列順序と一致するように、前記第１及び第２のストリームの各
パケットを並び替えることにより、前記デジタル放送のストリームを復元することを特徴とするものである。
【００１３】
第３の態様に係るデジタル放送通信システムによれば、受信装置が有する復元手段は、受信した第１及び第２のストリームの各パケットに付加されている時刻情報に基づいて、第１及び第２のストリームの各パケットの配列順序が、デジタル放送のストリームにおける各パケットの配列順序と一致するように、第１及び第２のストリームの各パケットを並び替えることにより、デジタル放送のストリームを復元する。このように、分離前のデジタル放送のストリームを復元手段によって復元することにより、受信装置においては、通常放送とデータ放送とを適切に連動させて再生することが可能となる。
【００１４】
本発明の第４の態様に係るデジタル放送通信システムは、第１〜第３のいずれか一つの態様に係るデジタル放送通信システムにおいて特に、前記通信ネットワークはＩＰネットワークであり、前記第１のストリームと前記第２のストリームとで互いに異なるマルチキャストＩＰアドレス及びポート番号が付与され、前記受信装置は、複数の番組と、各番組に関する前記第１のストリームのマルチキャストＩＰアドレス及びポート番号と、各番組に関する前記第２のストリームのマルチキャストＩＰアドレス及びポート番号との対応関係が記述されたデータテーブルを保持していることを特徴とするものである。
【００１５】
第４の態様に係るデジタル放送通信システムによれば、受信装置はデータテーブルを保持しており、そのデータテーブルには、複数の番組と、各番組に関する第１のストリームのマルチキャストＩＰアドレス及びポート番号と、各番組に関する第２のストリームのマルチキャストＩＰアドレス及びポート番号との対応関係が記述されている。従って、受信装置は、このデータテーブルを参照することによって、ユーザが視聴を希望している番組に関する通常放送のマルチキャストＩＰアドレス及びポート番号と、その番組に関するデータ放送のマルチキャストＩＰアドレス及びポート番号とを、適切に割り出すことができる。
【発明の効果】
【００１６】
本発明によれば、通信ネットワークにおける通信データ量を削減することが可能となる。
【図面の簡単な説明】
【００１７】
【図１】本発明の実施の形態に係る地上デジタル放送のＩＰ再送信システムの全体構成を概略的に示すブロック図である。
【図２】送信装置の構成の一部を概略的に示すブロック図である。
【図３】ストリームの構成を概略的に示す図である。
【図４】受信装置の構成の一部を概略的に示すブロック図である。
【図５】データテーブルの一部を示す図である。
【発明を実施するための形態】
【００１８】
以下、本発明の実施の形態について、図面を用いて詳細に説明する。なお、異なる図面において同一の符号を付した要素は、同一又は相応する要素を示すものとする。
【００１９】
図１は、本発明の実施の形態に係る地上デジタル放送のＩＰ再送信システムの全体構成を概略的に示すブロック図である。図１に示すようにＩＰ再送信システムは、送信装置１、ＩＰネットワーク２、及び受信装置３（図１における符号３１〜３３）を備えて構成されている。ＩＰネットワーク２は、ＩＰマルチキャストルータ２１〜２４を有している。受信装置３１はＩＰマルチキャストルータ２１〜２３を介して送信装置１に接続されており、受信装置３２はＩＰマルチキャストルータ２１，２２を介して送信装置１に接続され
ており、受信装置３３はＩＰマルチキャストルータ２１，２４を介して送信装置１に接続されている。なお、受信装置及びＩＰマルチキャストルータの個数は、図１に示した例に限らない。
【００２０】
送信装置１は、地上デジタル放送の放送波Ｂを放送局４から受信し、その放送波Ｂに含まれるデジタル放送信号のストリームＳを、ＩＰマルチキャストによってＩＰネットワーク２に向けて送信する。そして、受信装置３がＩＰネットワーク２からストリームＳを受信することにより、受信装置３に接続されたテレビによって地上デジタル放送を視聴することが可能となる。
【００２１】
図２は、送信装置１の構成の一部を概略的に示すブロック図である。図２に示すように送信装置１は、ストリーム分離部５１及びタイミング調整部５２を備えて構成されている。ストリーム分離部５１は、受信した放送波Ｂに含まれるストリームＳ１を、ストリームＳ２，Ｓ３に分離して出力する。タイミング調整部５２は、ストリーム分離部５１から入力されたストリームＳ２，Ｓ３を、ストリームＳ２，Ｓ３に含まれる各ＴＳパケットの送信タイミングを調整しつつ、ＩＰネットワーク２に向けて送信する。
【００２２】
図３は、ストリームＳ１〜Ｓ３の構成を概略的に示す図である。ストリームＳ１は、複数のＴＳパケットＪ１〜Ｊ１１を有している。ＴＳパケットＪ１には、ＰＡＴ（Program Association Table）やＰＭＴ（Program Map Table）等のＰＳＩ（Program Specific Information）情報が格納されている。ＴＳパケットＪ２，Ｊ８には、通常放送（データ放送ではない通常の番組放送）の音声に関するＥＳ（Ａ）が格納されている。ＴＳパケットＪ３，Ｊ４，Ｊ６，Ｊ７，Ｊ９，Ｊ１１には、通常放送の映像に関するＥＳ（Ｖ）が格納されている。ＴＳパケットＪ５，Ｊ１０には、データ放送に関するＥＳ（Ｄ）が格納されている。
【００２３】
また、各ＴＳパケットＪ１〜Ｊ１１の先頭には、時刻情報を示すタイムスタンプＨ１〜Ｈ１１（例えば４バイトのカウンタ値）がそれぞれ付加されている。つまり、ＴＳ形式のパケットにタイムスタンプが付加されることにより、ＴＴＳ（Time-stamped Transport Stream）形式のパケットに変換される。ＴＳパケットＪ１〜Ｊ１１にタイムスタンプＨ１〜Ｈ１１が付加されていることにより、ヌルパケットが削除されたストリームＳ１においても、タイムスタンプＨ１〜Ｈ１１間の時間差を維持しながら各ＴＳパケットＪ１〜Ｊ１１を再生することによって、各受信装置３１〜３３においてストリームＳ１の同期再生が実現される。
【００２４】
ストリーム分離部５１は、ＴＳパケットＪ１に格納されているＰＭＴを参照することにより、各ＴＳパケットＪ１〜Ｊ１１に格納されているＥＳの種別や、各ＴＳパケットＪ１〜Ｊ１１のＰＩＤを取得する。そして、全てのＴＳパケットＪ１〜Ｊ１１の中から、データ放送に関するＥＳを格納しているＴＳパケットＪ５，Ｊ１０以外のＴＳパケットＪ１〜Ｊ４，Ｊ６〜Ｊ９，Ｊ１１を抽出することにより、ストリームＳ２を生成する。また、全てのＴＳパケットＪ１〜Ｊ１１の中から、データ放送に関するＥＳを格納しているＴＳパケットＪ５，Ｊ１０を抽出することにより、ストリームＳ３を生成する。つまり、ストリーム分離部５１は、ストリームＳ１を、通常放送に関するストリームＳ２と、データ放送に関するストリームＳ３とに分離する。
【００２５】
タイミング調整部５２は、ストリーム分離部５１からストリームＳ２，Ｓ３を入力する。そして、ＴＳパケットＪ１〜Ｊ１１に付加されているタイムスタンプＨ１〜Ｈ１１に基づいて、各ＴＳパケットＪ１〜Ｊ１１の送信順序が、ストリームＳ１におけるＴＳパケットＪ１〜Ｊ１１の配列順序と一致するように、ＩＰネットワーク２に向けて各ＴＳパケットＪ１〜Ｊ１１を送信するタイミングを調整する。
【００２６】
具体的には、時刻Ｔ１，Ｔ２，Ｔ３，Ｔ４において、ストリームＳ２に含まれるＴＳパケットＪ１，Ｊ２，Ｊ３，Ｊ４をそれぞれ送信し、次に、時刻Ｔ５において、ストリームＳ３に含まれるＴＳパケットＪ５を送信し、次に、時刻Ｔ６，Ｔ７，Ｔ８，Ｔ９において、ストリームＳ２に含まれるＴＳパケットＪ６，Ｊ７，Ｊ８，Ｊ９をそれぞれ送信し、次に、時刻Ｔ１０において、ストリームＳ３に含まれるＴＳパケットＪ１０を送信し、次に、時刻Ｔ１１において、ストリームＳ２に含まれるＴＳパケットＪ１１を送信する。これにより、タイミング調整部５２からＩＰネットワーク２に向けて送信されるＴＳパケットＪ１〜Ｊ１１の送信順序は、ストリームＳ１におけるＴＳパケットＪ１〜Ｊ１１の配列順序と一致する。
【００２７】
図４は、受信装置３の構成の一部を概略的に示すブロック図である。図４の接続関係で示すように、受信装置３は、制御部６１、記憶部６２、ネットワークインタフェース６３、バッファ６４、及び復元部６５を備えて構成されている。記憶部６２にはデータテーブル７０が記憶されている。
【００２８】
図５は、データテーブル７０の一部を示す図である。図５に示すようにデータテーブル７０には、番組ＩＤとマルチキャストＩＰアドレスとポート番号との対応関係が記述されている。一つの番組ＩＤには、通常放送に関するマルチキャストＩＰアドレス及びポート番号と、データ放送に関するマルチキャストＩＰアドレス及びポート番号とが対応付けられている。
【００２９】
具体的に、番組ＩＤ Ｅ１には、通常放送に関してマルチキャストＩＰアドレスＦ１１及びポート番号Ｇ１１が対応付けられており、データ放送に関してマルチキャストＩＰアドレスＦ１２及びポート番号Ｇ１２が対応付けられている。同様に番組ＩＤ Ｅ２には、通常放送に関してマルチキャストＩＰアドレスＦ２１及びポート番号Ｇ２１が対応付けられており、データ放送に関してマルチキャストＩＰアドレスＦ２２及びポート番号Ｇ２２が対応付けられている。同様に番組ＩＤ Ｅ３には、通常放送に関してマルチキャストＩＰアドレスＦ３１及びポート番号Ｇ３１が対応付けられており、データ放送に関してマルチキャストＩＰアドレスＦ３２及びポート番号Ｇ３２が対応付けられている。なお、データテーブル７０に記述されている番組ＩＤの個数は図５に示した例に限らず、実際にはさらに多数の番組ＩＤが記述されている。
【００３０】
図４を参照して、制御部６１には、受信装置３に接続されたテレビのリモートコントローラ（以下「リモコン」と称す）８０から、番組の選局情報（番組ＩＤ）Ｅが入力される。さらに、データ放送の受信を希望するユーザがリモコン８０の所定のスイッチ（ｄボタン）を押下した場合には、データ放送の受信要求信号Ｘがリモコン８０から制御部６１に入力される。
【００３１】
ユーザがデータ放送の受信を希望せず通常放送の視聴のみを希望した場合には、リモコン８０から制御部６１に、番組ＩＤ Ｅが入力される。以下の例では、受信装置３２の制御部６１に番組ＩＤ Ｅ１が入力されたものとする。この場合、制御部６１は、データテーブル７０を参照することにより、番組ＩＤ Ｅ１に対応付けられている通常放送に関するマルチキャストＩＰアドレスＦ１１及びポート番号Ｇ１１を取得する。マルチキャストＩＰアドレスＦ１１及びポート番号Ｇ１１は、制御部６１からネットワークインタフェース６３に入力される。そして、ネットワークインタフェース６３からＩＰネットワーク２に向けて、マルチキャストＩＰアドレスＦ１１の受信要求が送信される。
【００３２】
図１を参照して、受信装置３２はＩＰマルチキャストルータ２２に接続されている。従って、マルチキャストＩＰアドレスＦ１１に対応するストリームＳ２が、送信装置１から
ルータ２１，２２を介して受信装置３２に送信される。なお、データ放送に関するマルチキャストＩＰアドレスＦ１２の受信要求が受信装置３２からＩＰネットワーク２に向けて送信されていないため、データ放送に関するストリームＳ３は受信装置３２には送信されない。
【００３３】
図４を参照して、マルチキャストＩＰアドレスＦ１１に対応するストリームＳ２は、ポート番号Ｇ１１に対応するネットワークインタフェース６３のポートを介してバッファ６４に送られる。そして、ストリームＳ２に含まれるＴＳパケットが、バッファ６４内に一時的に格納される。ここでは、図３の例に示したストリームＳ２（つまりＴＳパケットＪ１〜Ｊ４，Ｊ６〜Ｊ９，Ｊ１１）が、バッファ６４内に格納されたものとする。
【００３４】
復元部６５は、バッファ６４からＴＳパケットＪ１〜Ｊ４，Ｊ６〜Ｊ９，Ｊ１１を読み出す。そして、ＴＳパケットＪ１〜Ｊ４，Ｊ６〜Ｊ９，Ｊ１１に付加されているタイムスタンプＨ１〜Ｈ４，Ｈ６〜Ｈ９，Ｈ１１に基づいて各ＴＳパケット間の時間差を調整することにより、図３に示したストリームＳ２を復元して出力する。
【００３５】
一方、ユーザが通常放送の視聴及びデータ放送の受信を希望した場合には、リモコン８０から制御部６１に、番組ＩＤ Ｅ及びデータ放送の受信要求信号Ｘが入力される。以下の例では、受信装置３２の制御部６１に番組ＩＤ Ｅ１及び受信要求信号Ｘが入力されたものとする。この場合、制御部６１は、データテーブル７０を参照することにより、番組ＩＤ Ｅ１に対応付けられている、通常放送に関するマルチキャストＩＰアドレスＦ１１及びポート番号Ｇ１１と、データ放送に関するマルチキャストＩＰアドレスＦ１２及びポート番号Ｇ１２とを取得する。マルチキャストＩＰアドレスＦ１１，Ｆ１２及びポート番号Ｇ１１，Ｇ１２は、制御部６１からネットワークインタフェース６３に入力される。そして、ネットワークインタフェース６３からＩＰネットワーク２に向けて、マルチキャストＩＰアドレスＦ１１，Ｆ１２の受信要求が送信される。
【００３６】
図１を参照して、受信装置３２はＩＰマルチキャストルータ２２に接続されている。従って、マルチキャストＩＰアドレスＦ１１に対応するストリームＳ２と、マルチキャストＩＰアドレスＦ１２に対応するストリームＳ３とが、送信装置１からルータ２１，２２を介して受信装置３２に送信される。
【００３７】
図４を参照して、マルチキャストＩＰアドレスＦ１１に対応するストリームＳ２は、ポート番号Ｇ１１に対応するネットワークインタフェース６３のポートを介してバッファ６４に送られる。また、マルチキャストＩＰアドレスＦ１２に対応するストリームＳ３は、ポート番号Ｇ１２に対応するネットワークインタフェース６３のポートを介してバッファ６４に送られる。そして、ストリームＳ２，Ｓ３に含まれるＴＳパケットが、バッファ６４内に一時的に格納される。ここでは、図３の例に示したストリームＳ２（つまりＴＳパケットＪ１〜Ｊ４，Ｊ６〜Ｊ９，Ｊ１１）とストリームＳ３（つまりＴＳパケットＪ５，Ｊ１０）とが、バッファ６４内に格納されたものとする。
【００３８】
復元部６５は、バッファ６４からＴＳパケットＪ１〜Ｊ１１を読み出す。そして、ＴＳパケットＪ１〜Ｊ１１に付加されているタイムスタンプＨ１〜Ｈ１１に基づいて、ストリームＳ２，Ｓ３の各ＴＳパケットの配列順序が、デジタル放送のストリームＳ１における各ＴＳパケットの配列順序と一致するように、ストリームＳ２，Ｓ３の各ＴＳパケットの順序を並び替えつつ、ストリームＳ２とストリームＳ３とを結合することにより、図３に示したストリームＳ１を復元して出力する。
【００３９】
このように本実施の形態に係るデジタル放送通信システムによれば、送信装置１は、デジタル放送のストリームＳ１を、映像及び音声を含む通常放送に関するストリームＳ２と
、データ放送に関するストリームＳ３とに分離して、ＩＰネットワーク２に向けて送信する。そして、受信装置３から通常放送の受信要求（つまり、通常放送の番組を視聴するための映像信号及び音声信号の受信要求）のみを受けた場合には、ストリームＳ２，Ｓ３のうちのストリームＳ２のみを、ＩＰネットワーク２に向けて送信する。従って、ユーザがデータ放送の受信を要求していない場合には、データ放送に関するストリームＳ３は送信装置１からＩＰネットワーク２に向けて送信されない。その結果、利用されないデータ放送のＴＳパケットがＩＰネットワーク２上を流れることを回避できるため、ＩＰネットワーク２における通信データ量を削減することが可能となる。
【００４０】
また、本実施の形態に係るデジタル放送通信システムによれば、送信装置１は、受信装置３からデータ放送の受信要求を受けることにより、ＩＰネットワーク２に向けてストリームＳ３を送信する。このように、受信装置３からのデータ放送の受信要求に応答してＩＰネットワーク２に向けてストリームＳ３を送信することにより、ストリームＳ３が常にＩＰネットワーク２に向けて送信されることを回避できる。その結果、利用されないデータ放送のＴＳパケットが常にＩＰネットワーク２上を流れることを回避できるため、ＩＰネットワーク２における通信データ量を削減することが可能となる。
【００４１】
また、本実施の形態に係るデジタル放送通信システムによれば、送信装置１が有するタイミング調整部５２は、デジタル放送のストリームＳ１の各ＴＳパケットに付加されているタイムスタンプに基づいて、ストリームＳ２，Ｓ３の各ＴＳパケットの送信順序が、デジタル放送のストリームＳ１における各ＴＳパケットの配列順序と一致するように、ストリームＳ２，Ｓ３の各ＴＳパケットをＩＰネットワーク２に向けて送信するタイミングを調整する。このように、ストリームＳ２，Ｓ３の各ＴＳパケットを無作為に送信するのではなく、ストリームＳ２，Ｓ３間で同期をとって各ＴＳパケットを送信することにより、受信装置３においては、分離前のデジタル放送のストリームＳ１におけるＴＳパケットの配列順序が維持された状態で、通常放送及びデータ放送の各ＴＳパケットを受信できる可能性が高まる。その結果、受信装置３が有するバッファ６４の容量を削減することが可能となる。
【００４２】
また、本実施の形態に係るデジタル放送通信システムによれば、受信装置３が有する復元部６５は、受信したストリームＳ２，Ｓ３の各ＴＳパケットに付加されているタイムスタンプに基づいて、ストリームＳ２，Ｓ３の各ＴＳパケットの配列順序が、デジタル放送のストリームＳ１における各ＴＳパケットの配列順序と一致するように、ストリームＳ２，Ｓ３の各ＴＳパケットを並び替えることにより、デジタル放送のストリームＳ１を復元する。このように、分離前のデジタル放送のストリームＳ１を復元部６５によって復元することにより、受信装置３においては、通常放送とデータ放送とを適切に連動させて再生することが可能となる。
【００４３】
また、本実施の形態に係るデジタル放送通信システムによれば、受信装置３はデータテーブル７０を保持しており、そのデータテーブル７０には、複数の番組と、各番組に関するストリームＳ２のマルチキャストＩＰアドレス及びポート番号と、各番組に関するストリームＳ３のマルチキャストＩＰアドレス及びポート番号との対応関係が記述されている。従って、受信装置３は、このデータテーブル７０を参照することによって、ユーザが視聴を希望している番組に関する通常放送のマルチキャストＩＰアドレス及びポート番号と、その番組に関するデータ放送のマルチキャストＩＰアドレス及びポート番号とを、適切に割り出すことができる。
【００４４】
なお、今回開示された実施の形態はすべての点で例示であって制限的なものではないと考えられるべきである。本発明の範囲は、上記した意味ではなく、特許請求の範囲によって示され、特許請求の範囲と均等の意味及び範囲内での全ての変更が含まれることが意図
される。
【符号の説明】
【００４５】
１  送信装置
２  ＩＰネットワーク
３（３１〜３３）  受信装置
５１  ストリーム分離部
５２  タイミング調整部
６５  復元部
７０  データテーブル
【図１】
2010206728.tif 000003
【図２】
2010206728.tif 000004
【図３】
2010206728.tif 000005
【図４】
2010206728.tif 000006
【図５】
2010206728.tif 000007